(57)【特許請求の範囲】
【請求項１】
椅子を構成する複数のフレームの略垂直方向に向けて平行に並ぶ一対の直線部に取り付けられており且つサイドテーブルを略水平な使用位置から前記直線部に沿う折畳位置にかけて回動可能に支持するサイドテーブルの支持機構において、
サイドテーブルの両端面の一方の端部に当該両端面に沿うように設けられており且つ先端部が当該端部から突出した一対の片部材と、
この片部材の先端部に設けられた一対の軸部と、
一対の直線部に設けられた部材であって、一対の軸部を回動自在に且つ上下方向に移動自在に支持する一対のガイド部と、
一端部が一対の直線部の一対のガイド部の上方位置に、他端部がサイドテーブルの両端面に回動自在に軸支された一対の支持部材とを具備し、
サイドテーブルを一対の軸部を軸に回動させつつ、当該一対の軸部を一対のガイド部の上側位置に位置させると、一対の支持部材が一対の直線部とサイドテーブルとに架かると共に、一対の片部材が一対の直線部に対して直角になり、これにより当該サイドテーブルが使用位置で支持される一方、
サイドテーブルを一対の軸部を軸に回動させつつ、当該一対の軸部を一対のガイド部の下側位置に位置させると、一対の支持部材が一対の直線部に沿うと共に、一対の片部材が前記支持部材の下側で一対の直線部に沿い、これによりサイドテーブルが折畳位置に位置するようになっていることを特徴とするサイドテーブルの支持機構。
【請求項２】
複数のフレームで構成された折り畳み可能な椅子において、
前記フレームの略垂直方向に向けて平行に並ぶ一対の直線部に取り付けられ、サイドテーブルを支持する請求項１記載のサイドテーブルの支持機構を有することを特徴とする折り畳み椅子。
【請求項３】
請求項２記載の折り畳み椅子において、
前記フレームは、角張ったＯ字状の一対の第１のフレームと、
この一対の第１のフレームを折り畳み可能に連結するＸ字状の一対の第２のフレームとを有し、
第１のフレームは、略コ字状に折り曲げられた第１のパイプ部材と、
この第１のパイプ部材の開放部を塞ぐように当該第１のパイプ部材の端部に取り付けられた直線状の第２のパイプ部材とを有し、
第１のパイプ部材の垂直部と第２のパイプ部材が前記一対の直線部であることを特徴とする折り畳み椅子。
【請求項４】
複数のフレームで構成された折り畳み可能な椅子において、
前記フレームと、
サイドテーブルと、
前記フレームの略垂直方向に向けて平行に並ぶ一対の直線部に取り付けられており且つサイドテーブルを略水平な使用位置から前記直線部に沿う折畳位置にかけて回動可能に支持するサイドテーブルの支持機構とを備えており、
前記支持機構は、サイドテーブルの両端面の一方の端部に設けられた一対の軸部と、
一対の直線部に設けられた部材であって、一対の軸部を回動自在に且つ上下方向に移動自在に支持する一対のガイド部と、
一端部が一対の直線部の一対のガイド部の上方位置に、他端部がサイドテーブルの両端面に回動自在に軸支された一対の支持部材とを具備し、
サイドテーブルを一対の軸部を軸に回動させつつ、当該一対の軸部を一対のガイド部の上側位置に位置させると、一対の支持部材が一対の直線部とサイドテーブルとに架かり、当該サイドテーブルを使用位置で支持する一方、
サイドテーブルを一対の軸部を軸に回動させつつ、当該一対の軸部を一対のガイド部の下側位置に位置させると、一対の支持部材が一対の直線部に沿い、サイドテーブルが折畳位置に位置するようになっており、
前記フレームは、角張ったＯ字状の一対の第１のフレームと、
この一対の第１のフレームを折り畳み可能に連結するＸ字状の一対の第２のフレームとを有し、
第１のフレームは、略コ字状に折り曲げられた第１のパイプ部材と、
この第１のパイプ部材の開放部を塞ぐように当該第１のパイプ部材の端部に取り付けられた直線状の第２のパイプ部材とを有し、
第１のパイプ部材の垂直部と第２のパイプ部材が前記一対の直線部であり、第１のパイプ部材の垂直部に連続する上端部が開放側に向けて傾斜した肘掛け部となっており、
サイドテーブルの折畳位置に位置したときに前記上端部に対向する端部が当該上端部の傾斜に応じてカットされた形状となっていることを特徴とする折り畳み椅子。
【請求項５】
複数のフレームで構成された折り畳み可能な椅子において、
前記フレームと、
サイドテーブルと、
前記フレームの略垂直方向に向けて平行に並ぶ一対の直線部に取り付けられており且つサイドテーブルを略水平な使用位置から前記直線部に沿う折畳位置にかけて回動可能に支持するサイドテーブルの支持機構とを備えており、
前記支持機構は、サイドテーブルの両端面の一方の端部に当該両端面に沿うように設けられており且つ先端部が当該端部から突出した一対の片部材と、
この片部材の先端部に設けられた一対の軸部と、
一対の直線部に設けられた部材であって、一対の軸部を回動自在に且つ上下方向に移動自在に支持する一対のガイド部と、
一端部が一対の直線部の一対のガイド部の上方位置に、他端部がサイドテーブルの両端面に回動自在に軸支された一対の支持部材とを具備し、
サイドテーブルを一対の軸部を軸に回動させつつ、当該一対の軸部を一対のガイド部の上側位置に位置させると、一対の支持部材が一対の直線部とサイドテーブルとに架かり、  当該サイドテーブルを使用位置で支持する一方、
サイドテーブルを一対の軸部を軸に回動させつつ、当該一対の軸部を一対のガイド部の下側位置に位置させると、一対の支持部材が一対の直線部に沿い、サイドテーブルが折畳位置に位置するようになっており、
前記フレームは、角張ったＯ字状の一対の第１のフレームと、
この一対の第１のフレームを折り畳み可能に連結するＸ字状の一対の第２のフレームとを有し、
第１のフレームは、略コ字状に折り曲げられた第１のパイプ部材と、
この第１のパイプ部材の開放部を塞ぐように当該第１のパイプ部材の端部に取り付けられた直線状の第２のパイプ部材とを有し、
第１のパイプ部材の垂直部と第２のパイプ部材が前記一対の直線部であり、
第１のパイプ部材の垂直部に連続する上端部が開放側に向けて傾斜した肘掛け部となっており、
サイドテーブルの折畳位置に位置したときに前記上端部に対向する端部が当該上端部の傾斜に応じてカットされた形状となっていることを特徴とする折り畳み椅子。
【発明の詳細な説明】
【技術分野】
【０００１】
本発明はサイドテーブルの支持機構及びこれを用いた折り畳み椅子に関する。
【背景技術】
【０００２】
従来のサイドテーブルの支持機構は、一対の脚部に取り付けられており且つサイドテーブルを水平に支持する使用位置から下方に向けて折り畳むことができる構成となっている。
【０００３】
具体的には、サイドテーブルの両端部の一方の端部を一対の脚部に回動自在に軸支する一対の軸支部と、一対の脚部の一対の軸支部の下方位置とサイドテーブルの両端面とに架設された一対の支持部材とを具備する。この一対の支持部材は、一端部同士が一対の脚部に向けて折り曲げ可能に連結された２つの片部材からなり、該片部材が直線状に伸びた状態でサイドテーブルを使用位置で支持し、折り曲げた状態でサイドテーブルが回動可能となるようになっている( 特許文献１参照) 。
【０００４】
【特許文献１】実用新案登録第３０５５４８３号公報
【発明の開示】
【発明が解決しようとする課題】
【０００５】
ところが、前記支持機構は、前記片部材を直線状に伸ばしきっていない状態( 即ち、前記片部材が若干折れ曲がった状態) で、使用されることがある。このような状態のサイドテーブル上にユーザが手を置いたり、コップや皿等の物を置いたりすると、当該サイドテーブルが下方に倒れてしまうことがある。このようにサイドテーブルが可能に倒れると、コップや皿の内容物がこぼれるだけでなく、当該お皿やコップが割れてしまう可能性もある。
【０００６】
本発明は、上記事情に鑑みて創案されたものであって、その目的とするところは、サイドテーブルが下方に倒れることなく、当該サイドテーブルを折り畳み可能に支持することができるサイドテーブルの支持機構及びこれを用いた折り畳み椅子を提供することにある。
【課題を解決するための手段】
【０００７】
上記目的を達成するために、本発明のサイドテーブルの支持機構は、椅子を構成する複数のフレームの略垂直方向に向けて平行に並ぶ一対の直線部に取り付けられており且つサイドテーブルを略水平な使用位置から前記直線部に沿う折畳位置にかけて回動可能に支持するサイドテーブルの支持機構において、サイドテーブルの両端面の一方の端部に当該両端面に沿うように設けられており且つ先端部が当該端部から突出した一対の片部材と、この片部材の先端部に設けられた一対の軸部と、一対の直線部に設けられた部材であって、一対の軸部を回動自在に且つ上下方向に移動自在に支持する一対のガイド部と、一端部が一対の直線部の一対のガイド部の上方位置に、他端部がサイドテーブルの両端面に回動自在に軸支された一対の支持部材とを具備し、サイドテーブルを一対の軸部を軸に回動させつつ、当該一対の軸部を一対のガイド部の上側位置に位置させると、一対の支持部材が一対の直線部とサイドテーブルとに架かると共に、一対の片部材が一対の直線部に対して直角になり、これにより当該サイドテーブルが使用位置で支持される一方、サイドテーブルを一対の軸部を軸に回動させつつ、当該一対の軸部を一対のガイド部の下側位置に位置させると、一対の支持部材が一対の直線部に沿うと共に、一対の片部材が前記支持部材の下側で一対の直線部に沿い、これによりサイドテーブルが折畳位置に位置するようになっている。
【０００８】
本発明の第１の折り畳み可能な椅子は、複数のフレームで構成された折り畳み可能な椅子であって、前記フレームの略垂直方向に向けて平行に並ぶ一対の直線部に取り付けられ、サイドテーブルを支持する上記支持機構を有することを特徴としている。
【０００９】
前記フレームは、角張ったＯ字状の一対の第１のフレームと、この一対の枠体を折り畳み可能に連結するＸ字状の一対の第２のフレームとを有する。第１のフレームは、略コ字状に折り曲げられた第１のパイプ部材と、この第１のパイプ部材の開放部を塞ぐように当該第１のパイプ部材の端部に取り付けられた直線状の第２のパイプ部材とを有し、第１のパイプ部材の垂直部と第２のパイプ部材が前記一対の直線部である。
【００１０】
本発明の第２の折り畳み椅子は、複数のフレームで構成された折り畳み可能な椅子において、前記フレームと、サイドテーブルと、前記フレームの略垂直方向に向けて平行に並ぶ一対の直線部に取り付けられており且つサイドテーブルを略水平な使用位置から前記直線部に沿う折畳位置にかけて回動可能に支持するサイドテーブルの支持機構を備えている。前記支持機構は、サイドテーブルの両端面の一方の端部に設けられた一対の軸部と、一対の直線部に設けられた部材であって、一対の軸部を回動自在に且つ上下方向に移動自在に支持する一対のガイド部と、一端部が一対の直線部の一対のガイド部の上方位置に、他端部がサイドテーブルの両端面に回動自在に軸支された一対の支持部材とを具備する。サイドテーブルを一対の軸部を軸に回動させつつ、当該一対の軸部を一対のガイド部の上側位置に位置させると、一対の支持部材が一対の直線部とサイドテーブルとに架かり、当該サイドテーブルを使用位置で支持する一方、サイドテーブルを一対の軸部を軸に回動させつつ、当該一対の軸部を一対のガイド部の下側位置に位置させると、一対の支持部材が一対の直線部に沿い、サイドテーブルが折畳位置に位置するようになっている。前記フレームは、角張ったＯ字状の一対の第１のフレームと、この一対の第１のフレームを折り畳み可能に連結するＸ字状の一対の第２のフレームとを有し、第１のフレームは、略コ字状に折り曲げられた第１のパイプ部材と、この第１のパイプ部材の開放部を塞ぐように当該第１のパイプ部材の端部に取り付けられた直線状の第２のパイプ部材とを有し、第１のパイプ部材の垂直部と第２のパイプ部材が前記一対の直線部であり、第１のパイプ部材の垂直部に連続する上端部が開放側に向けて傾斜した肘掛け部となっている。サイドテーブルの折畳位置に位置したときに前記上端部に対向する端部が当該上端部の傾斜に応じてカットされた形状となっている。
【００１１】
本発明の第３の折り畳み椅子は、複数のフレームで構成された折り畳み可能な椅子において、前記フレームと、サイドテーブルと、前記フレームの略垂直方向に向けて平行に並ぶ一対の直線部に取り付けられており且つサイドテーブルを略水平な使用位置から前記直線部に沿う折畳位置にかけて回動可能に支持するサイドテーブルの支持機構を備えている。前記支持機構は、サイドテーブルの両端面の一方の端部に当該両端面に沿うように設けられており且つ先端部が当該端部から突出した一対の片部材と、この片部材の先端部に設けられた一対の軸部と、一対の直線部に設けられた部材であって、一対の軸部を回動自在に且つ上下方向に移動自在に支持する一対のガイド部と、一端部が一対の直線部の一対のガイド部の上方位置に、他端部がサイドテーブルの両端面に回動自在に軸支された一対の支持部材とを具備する。サイドテーブルを一対の軸部を軸に回動させつつ、当該一対の軸部を一対のガイド部の上側位置に位置させると、一対の支持部材が一対の直線部とサイドテーブルとに架かり、当該サイドテーブルを使用位置で支持する一方、サイドテーブルを一対の軸部を軸に回動させつつ、当該一対の軸部を一対のガイド部の下側位置に位置させると、一対の支持部材が一対の直線部に沿い、サイドテーブルが折畳位置に位置するようになっている。前記フレームは、角張ったＯ字状の一対の第１のフレームと、この一対の第１のフレームを折り畳み可能に連結するＸ字状の一対の第２のフレームとを有し、第１のフレームは、略コ字状に折り曲げられた第１のパイプ部材と、この第１のパイプ部材の開放部を塞ぐように当該第１のパイプ部材の端部に取り付けられた直線状の第２のパイプ部材とを有し、第１のパイプ部材の垂直部と第２のパイプ部材が前記一対の直線部であり、第１のパイプ部材の垂直部に連続する上端部が開放側に向けて傾斜した肘掛け部となっており、サイドテーブルの折畳位置に位置したときに前記上端部に対向する端部が当該上端部の傾斜に応じてカットされた形状となっている。
【発明の効果】
【００１２】
本発明の請求項１に係るサイドテーブルの支持機構による場合、サイドテーブルを一対の軸部を軸に回動させつつ、当該一対の軸部を一対のガイド部の上側位置に位置させると、一対の支持部材がフレームの略垂直方向に向けて平行に並ぶ一対の直線部の一対のガイド部の上方位置とサイドテーブルの両端面とに架かり、当該サイドテーブルを使用位置で支持する。一方、サイドテーブルを一対の軸部を軸に回動させつつ、当該一対の軸部を一対のガイド部の下側位置に位置させると、一対の支持部材が一対の直線部に沿い、サイドテーブルが折畳位置に位置するようになっている。即ち、サイドテーブルが使用位置に位置したときに、当該サイドテーブルの両端面の一方の端部が一対のガイド部により支持されると共に、当該サイドテーブルの両端面が一対の支持部材により支持される。このため、サイドテーブルが下方に倒れることがないので、サイドテーブル上に載せられたコップや皿の内容物がこぼれたり、コップや皿が割れたりせず、安全性の高い機構とすることができる。
【発明を実施するための最良の形態】
【００１４】
以下、本発明の実施の形態に係る折り畳み椅子について図面を参照しながら説明する。図１は本発明の実施の形態に係る折り畳み椅子を示す正面図であって、( ａ) がサイドテーブルが使用位置に位置した状態の図、( ｂ）がサイドテーブルが折畳位置に位置した状態の図、図２は同椅子の背面図、図３は( ａ) が同椅子の右側面図、( ｂ）が同椅子の左側面図、図４は、( ａ) が同椅子の平面図、( ｂ）同椅子の底面図、図５は同椅子のサイドテーブルの支持機構の拡大図であって、( ａ) がサイドテーブルが使用位置に位置した状態の図、( ｂ）がサイドテーブルが折畳位置に位置した状態の図、図６は同椅子の折り畳み手順を示す図であって、( ａ）がサイドテーブルの折り畳んだ状態を示す左側面図、( ａ) が同椅子を折り畳んだ状態を示す正面図である。
【００１５】
ここに掲げる折り畳み椅子は、角張ったＯ字状の一対の第１のフレーム１００と、この一対の第１のフレーム１００を折り畳み可能に連結するための略Ｘ字状の一対の第２のフレーム２００と、一対の第１のフレーム１００及び一対の第２のフレーム２００に取り付けられたシート部３００と、サイドテーブル４００と、一方の第１のフレーム１００に取り付けられており且つサイドテーブル４００を略水平な使用位置から当該一方の第１のフレーム１００に沿った折畳位置にかけて回動可能に支持する支持機構５００とを具備している。以下、各部を詳しく説明する。
【００１６】
一対の第１のフレーム１００は、図３に示すように、略コ字状に折り曲げられた一対の第１のパイプ部材１１０と、この一対の第１のパイプ部材１１０の開放部を塞ぐように当該第１のパイプ部材１１０の上端部１１３及び下端部１１１に取り付けられた直線状の一対の第２のパイプ部材１２０とを有している。
【００１７】
第１のパイプ部材１１０は、地面に設置される下端部１１１と、一端が下端部１１１の一端と連続する垂直部１１２と、一端が垂直部１１２の他端と連続する上端部１１３とを有している。この第１のパイプ部材１１０の垂直部１１２と第２のパイプ部材１２０とが第１のフレーム１００の平行に並ぶ一対の直線部となる。
【００１８】
第１のパイプ部材１１０の上端部１１３は、開放側に向けて傾斜し、且つ斜め上方に向けて伸びている。この第１のパイプ部材１１０の上端部１１３の傾斜部が肘掛け部１１３ａとなる。この肘掛け部１１３ａには、円筒状のクッション材１３０が取り付けられている。また、第１のパイプ部材１１０の上端部１１３の延長部はシート部３００の背もたれ部３１０を支持する背もたれ部用の骨組部１１３ｂとなる。
【００１９】
一対の第２のフレーム２００は、図１及び図２に示すように、Ｘ字状に交差しており且つその交点を支点として開閉可能にされた一対の第３、第４のパイプ部材２１０、２２０を有した構成となっている。一方の第３、第４のパイプ部材２１０、２２０の下端は、一対の第１のパイプ部材の垂直部１１２に回動可能に軸支される。他方の第３、第４のパイプ部材２１０、２２０の下端は、一対の第２のパイプ部材１２０に回動可能に軸支される。
【００２０】
また、一方の第３、第４のパイプ部材２１０、２２０の上端と、他方の第３、第４のパイプ部材２１０、２２０の上端とは、図３に示すように、一対の連結棒２３０で連結されている。この一対の連結棒２３０はシート部３００の座面部３２０を支持する座面部用の骨組部となる。また、一方の第３、第４のパイプ部材２１０、２２０の上端の下側位置には、図１に示すように、一対の第１のパイプ部材１１０の垂直部１１２に回動自在に軸支される連結片２１１、２２１が取り付けられている。他方の第３、第４のパイプ部材２１０、２２０の上端の下側位置には、図２に示すように、一対の第２のパイプ部材１２０に回動自在に軸支される連結片２１１、２２１が取り付けられている。
【００２１】
シート部３００は、背もたれ部３１０と、座面部３２０と、この背もたれ部３１０と座面部３２０とを繋ぐ当該背もたれ部３１０及び座面部３２０よりも幅狭な中間部３３０とを有した形状となっている。
【００２２】
背もたれ部３１０の両端部には、図２に示すように、一対の第１のパイプ部材１１０の骨格部１１２を挿入するための挿入穴３１１、３１１が設けられている。
【００２３】
座面部３２０は、両端部が一対の連結棒２３０を巻くように折り返され、当該折り返し部３２１、３２１の先端を座面部３２０本体に縫い付けることにより、当該一対の連結棒２３０に取り付けられている。また、座面部３２０の折り返し部３２１、３２１には、図３及び図４( ｂ）に示すように、前記折り畳み椅子を折り畳み、持ち運ぶ際に使用する把手部３２１ａ、３２１ａが設けられている。
【００２４】
サイドテーブル４００は、略矩形状の板であって、折畳位置に位置したときに第１のパイプ部材１１０の上端部に対向する端部が当該第１のパイプ部材１１０の上端部の傾斜に応じてカットされた形状となっている。
【００２５】
支持機構５００は、図５に示すように、サイドテーブル４００の両端面の一方の端部に設けられた一対の片部材５１０と、この一対の片部材５１０の先端部に設けられた一対の軸部５２０と、一方の第１のパイプ部材１１０の垂直部１１２、一方の第２のパイプ部材１２０に取り付けられた一対のガイド部５３０と、サイドテーブル４００を支持するための一対の支持部材５４０とを備えている。
【００２６】
一対の片部材５１０は、サイドテーブル４００の両端面の長さ方向に沿って取り付けられており且つその先端部がサイドテーブル４００の両端面の一方の端部から突出している。
【００２７】
一対の軸部５２０は平面視略エ字状の突起部である。
【００２８】
一対のガイド部５３０は、一対の軸部５２０を回動自在に且つ上下方向に移動自在に支持するレール溝を有する部材である。
【００２９】
一方の支持部材５４０は、一端部が一方の第１のパイプ部材１１０の垂直部１１２の一方のガイド部５３０の上方位置に、一方の第３のパイプ部材２１０の連結片２１１と共に回動自在に軸支され、他端部がサイドテーブル４００の一方の端面の中央部に回動自在に軸支される。
【００３０】
他方の支持部材５４０は、一端部が一方の第２のパイプ部材１２０の他方のガイド部５３０の上方位置に、他方の第３のパイプ部材２１０の連結片２１１と共に回動自在に軸支され、他端部がサイドテーブル４００の他方の端面の中央部に回動自在に軸支される。
【００３１】
このような構成の支持機構５００は、図５( ａ) に示すように、一対の軸部５２０が一対のガイド部５３０の上側位置に位置したときに、一方の支持部材５４０が一方の第１のパイプ部材１１０の垂直部１１２の一方のガイド部５３０の上方位置とサイドテーブル４００の一方の端面の中央部とに架かり、他方の支持部材５４０が一方の第２のパイプ部材１２０の他方のガイド部５３０の上方位置とサイドテーブル４００の他方の端面の中央部とに架かる。これにより、サイドテーブル４００を使用位置で支持している。
【００３２】
このサイドテーブル４００を一対の軸部５２０を軸に使用位置から折畳位置にかけて回動させる。すると、図５( ｂ）に示すように、一対の軸部５２０が一対のガイド部５３０の上側位置から下側位置にかけて移動し、一対の支持部材５４０が一方の第１のパイプ部材１１０の垂直部１１２と一方の第２のパイプ部材１２０とに沿う。これにより、図６( ａ) に示すように、サイドテーブル４００が折畳位置に位置する。
【００３３】
折り畳み椅子を折り畳むに当たっては、サイドテーブル４００を折畳位置に位置させた状態で、折り畳み椅子の一対の連結棒２３０を把持し、当該一対の連結棒２３０を互いに近づける。すると、一対の第２のフレーム２００が閉じる。これにより、折り畳み椅子が、図６( ｂ）に示すように、折り畳まれる。このように折り畳まれると、一対の連結棒２３０が前記折り畳み椅子の最上位置に位置する。当該折り畳み椅子を持ち運ぶ際には、一対の連結棒２３０を取り付けるためのカバー部３００の座面部３２０の折り返し部３２１、３２１の把手部３２１ａ、３２１ａを把持して持ち運ぶ。
【００３４】
なお、この折り畳み椅子を組み立てる際には、上記の手順を逆に行う。
【００３５】
このような折り畳み椅子による場合、サイドテーブル４００が使用位置に位置すると、支持機構５００の一対の片部材５１０により、当該サイドテーブル４００の両端面の一方の端部が支持されると共に、一対の支持部材５４０により当該サイドテーブル４００の両端面の中央部が上方から支持されるようになっている。このため、従来例の如くサイドテーブル４００にユーザが手を置いたり、コップや皿を置いたときに、当該サイドテーブル４００が下方に倒れることがないので、サイドテーブル４００上に載せられたコップや皿の内容物がこぼれたり、コップや皿が割れたりせず、安全性の高い椅子とすることができる。
【００３６】
しかも、支持機構５００は、サイドテーブル４００を使用位置から上方に向けて折り畳むようになっている。このため、一対の連結棒２３０を把持して折り畳み椅子を組み立てる( 広げる) 際に、その反動でユーザの手がサイドテーブル４００に当たったとしても、当該サイドテーブル４００が外側に広がる。よって、組み立て時にユーザの手がサイドテーブル４００に当たることにより、怪我するのを防止することができる。
【００３７】
支持機構５００については、椅子を構成する複数のフレームの略垂直方向に向けて平行に並ぶ一対の直線部に取り付けられており且つサイドテーブルを略水平な使用位置から前記直線部に沿う折畳位置にかけて回動可能に支持するサイドテーブルの支持機構であって、サイドテーブルの両端面の一方の端部に設けられた一対の軸部と、一対の直線部に設けられた部材であって、一対の軸部を回動自在に且つ上下方向に移動自在に支持する一対のガイド部と、一端部が一対の直線部の一対のガイド部の上方位置に、他端部がサイドテーブルの両端面に回動自在に軸支された一対の支持部材とを具備し、サイドテーブルを一対の軸部を軸に回動させつつ、当該一対の軸部を一対のガイド部の上側位置に位置させると、一対の支持部材が一対の直線部とサイドテーブルとに架かり、当該サイドテーブルを使用位置で支持する一方、サイドテーブルを一対の軸部を軸に回動させつつ、当該一対の軸部を一対のガイド部の下側位置に位置させると、一対の支持部材が一対の直線部に沿い、サイドテーブルが折畳位置に位置するようになっている限りどのように設計変更をしてもかまわない。
【００３８】
一対の片部材５１０については設けるか否かは任意である。即ち、サイドテーブル４００の両端面に一対に軸部５２０を設けることができる。
【００３９】
上記椅子については、上述したようなパイプ部材だけでなく、木材や鉄材等の複数のフレームで構成されており、前記フレームに略垂直方向に向けて平行に並ぶ一対の直線部を有するものであれば、どのようなものであっても良い。また、椅子は、折り畳み可能である必要はない。
【００４０】
サイドテーブル４００については、板状体である限り、その形状は任意である。
【図面の簡単な説明】
【００４１】
【図１】本発明の実施の形態に係る折り畳み椅子を示す正面図であって、( ａ) がサイドテーブルが使用位置に位置した状態の図、( ｂ）がサイドテーブルが折畳位置に位置した状態の図である。
【図２】同椅子の背面図である。
【図３】( ａ) が同椅子の右側面図、( ｂ）が同椅子の左側面図である。
【図４】( ａ) が同椅子の平面図、( ｂ）同椅子の底面図である。
【図５】同椅子のサイドテーブルの支持機構の拡大図であって、( ａ) がサイドテーブルが使用位置に位置した状態の図、( ｂ）がサイドテーブルが折畳位置に位置した状態の図である。
【図６】同椅子の折り畳み手順を示す図であって、( ａ）がサイドテーブルの折り畳んだ状態を示す左側面図、( ａ) が同椅子を折り畳んだ状態を示す正面図である。
【符号の説明】
【００４２】
１００  第１のフレーム
１１０  第１のパイプ部材
１１２  垂直部( 直線部) 
１１３  上端部
１２０  第２のパイプ部材( 直線部) 
２００  第２のフレーム
４００  サイドテーブル
５００  支持機構
５１０  片部材
５２０  軸部
５３０  ガイド部
５４０  支持部材
【図１】
0004667136.tif 000002
【図２】
0004667136.tif 000003
【図３】
0004667136.tif 000004
【図４】
0004667136.tif 000005
【図５】
0004667136.tif 000006
【図６】
0004667136.tif 000007